(57)【要約】【課題】  引き出したコードを位置決めする機能を有し、操作の正確性が高く、騒音が発生しにくく、耐久性に富み、位置決め精度が高い二方向コードリールの提供。【解決手段】  上蓋１と下蓋６との間に巻取り盤３、ぜんまい５及び位置決め部材７を収納し、ぜんまい５でコード巻き取り方向へ回転するよう付勢した巻取り盤３が回転することにより、コード４の両側部分を引き出し・巻き取り可能であり、位置決め部材７は、位置決めアーム７１と取付片７２とから成り、取付片７２は位置決めアーム７１の一端部上面を覆って、その両側部が下蓋６に固定され、位置決めアーム７１の回転軸７１１を取付片７２に回動自在に挿通し、位置決めアーム７１の他端部にスライド突起部７１２を設け、巻取り盤３の下面に、スライド突起部７１２を案内して移動させたり、停止させることにより、巻取り盤３の回転を許容或いは規制する位置決め軌道を形成してある。【選択図】          図２
0003109215.tif 000002
【実用新案登録請求の範囲】
【請求項１】
互いに組み付けられて外殻を構成する上蓋及び下蓋と、該上蓋と下蓋との間に収納された巻取り盤、ぜんまい及び位置決め部材と、コードとを備え、前記巻取り盤は前記外殻の中心軸の回りを回転可能であり、前記コードの中間部が巻取り盤に固定されると共に、その両側部分が前記巻取り盤の外周にそれぞれ上下２段に巻き付けられて、外殻の外部へ延び、前記巻取り盤が回転することにより、前記コードの両側部分を引き出し・巻き取り可能であり、前記ぜんまいは、その両端がそれぞれ前記巻取り盤及び外殻に固定されて、前記コードが引き出された時に、前記巻取り盤をコード巻き取り方向へ回転するよう付勢し、前記位置決め部材は、位置決めアームと取付片とから成り、該取付片は前記位置決めアームの一端部上面を覆って、その両側部がそれぞれ前記下蓋に固定され、前記位置決めアームの一端部上面に設けた回転軸が前記取付片に形成した軸孔へ回動自在に挿通され、前記位置決めアームの他端部にスライド突起部が設けられ、前記巻取り盤の下面に、その回転に伴い前記位置決め部材のスライド突起部を案内し、該スライド突起部を移動させたり、停止させることにより、前記巻取り盤の回転を許容或いは規制する位置決め軌道を形成したことを特徴とした二方向コードリール。
【考案の詳細な説明】
【技術分野】
【０００１】
本考案は、コンピュータのデータ伝送ケーブル、電信ネットワーク用伝送ケーブル、電源コード等の両側部分をそれぞれ引出し可能に巻き取る二方向コードリールに関する。
【背景技術】
【０００２】
コンピュータ周辺機器、電信ネットワーク周辺機器等のケーブルは、通常、長さが一定であって、長すぎて収納できなかったり、短すぎて使用できないことも多く、また、複数のケーブルを同時に配線することもあった。
ケーブルが長すぎる場合は、折り曲げて縛ることにより、邪魔にならないよう処理するが、この方法では外観が乱雑になるだけでなく、ケーブルが絡みやすい。特に、ケーブルを折り曲げた状態で長期間放置すると、電力やデータを伝送する能力が低下したり、安全性にも悪影響がある。
【０００３】
従来、位置決めボールを用いてケーブルの引出量を規制するコードリールが知られていた。
図６及び図７に示すように、このコードリールＡ１０は、前蓋Ａ１、ぜんまいＡ２、巻き取り座体Ａ３、ケーブル４、位置決めボールＡ５及び後蓋Ａ６を備える。
前蓋Ａ１と後蓋Ａ６を組み付けて成るケース内に巻き取り座体Ａ３、ケーブル４、位置決めボールＡ５を収納し、巻き取り座体Ａ３内にぜんまいＡ２を設置してある。そして、ぜんまいＡ２の力で巻き取り座体Ａ３を回転させることにより、引き出したケーブル４４を巻き戻すようになっている。
【０００４】
また、巻き取り座体Ａ３の底部に位置決めボール軌道Ａ３１を形成し、この位置決めボール軌道Ａ３１に位置決めボールＡ５を回転移動可能に嵌合することにより、ケーブルＡ４を必要長さだけ引出して解放した時、巻き取り座体Ａ３の巻き取り方向への回転がいったん規制され、ケーブルＡ４がその引出長さで位置決めされるようになっている。
しかしながら、このような構造は、位置決めボール軌道Ａ３１の設計が非常に難しく、高い加工精度も求められる。この結果、金型による成形が非常に難しいだけでなく、不良品の発生頻度が大幅に増加し、コストの増大が避けられない。
【０００５】
さらに、位置決めボールＡ５の高速回転及び引っかかりにより、位置決めボール軌道Ａ３１が摩耗し、その幅が広くなりすぎると、位置決め精度が低下したり、位置決めボールＡ５が脱落して位置決め機能が全く失われてしまう。このため、上記従来のコードリールＡ１０は、引っ掛けが外れて、ケーブルＡ４の位置決めができなくなることにより、ケーブルＡ４の長さを適正に保つことが不可能となって、コードリールＡ１０の寿命が大幅に短くなってしまう。
また、位置決めボールＡ５が位置決めボール軌道Ａ３１に沿って回転移動する際、及び、位置決めボールＡ５が位置決めボール軌道Ａ３１の停止部に引っかかったり離脱する際に、騒音が発生し、特に、位置決めボール軌道Ａ３１が摩耗により広がって狂いが発生すると、がたつきによって騒音がいっそう激しくなる。
【考案の開示】
【考案が解決しようとする課題】
【０００６】
本考案が解決しようとする課題は、引き出したコードを位置決めする機能を有し、操作の正確性が高く、騒音が発生しにくく、耐久性に富み、位置決め精度が高い二方向コードリールを提供することにある。
【課題を解決するための手段】
【０００７】
本考案の二方向コードリールは、互いに組み付けられて外殻を構成する上蓋及び下蓋と、該上蓋と下蓋との間に収納された巻取り盤、ぜんまい及び位置決め部材と、コードとを備え、前記巻取り盤は前記外殻の中心軸の回りを回転可能であり、前記コードの中間部が巻取り盤に固定されると共に、その両側部分が前記巻取り盤の外周にそれぞれ上下２段に巻き付けられて、外殻の外部へ延び、前記巻取り盤が回転することにより、前記コードの両側部分を引き出し・巻き取り可能であり、前記ぜんまいは、その両端がそれぞれ前記巻取り盤及び外殻に固定されて、前記コードが引き出された時に、前記巻取り盤をコード巻き取り方向へ回転するよう付勢し、前記位置決め部材は、位置決めアームと取付片とから成り、該取付片は前記位置決めアームの一端部上面を覆って、その両側部がそれぞれ前記下蓋に固定され、前記位置決めアームの一端部上面に設けた回転軸が前記取付片に形成した軸孔へ回動自在に挿通され、前記位置決めアームの他端部にスライド突起部が設けられ、前記巻取り盤の下面に、その回転に伴い前記位置決め部材のスライド突起部を案内し、該スライド突起部を移動させたり、停止させることにより、前記巻取り盤の回転を許容或いは規制する位置決め軌道を形成してある。
【考案の効果】
【０００８】
本考案によれば、位置決めボールとこれを案内する軌道によりコードの位置決めを行うものに比べて、長期間使用しても位置決め軌道が摩耗しにくいので、摩耗による動作不良が生じにくく、この結果、耐久性が向上し、操作の正確性を得ることができる。
また、位置決めボールの回転移動に伴って発生する騒音を防ぐことができる。
さらに、位置決めアームは、取付片によって確実に保持され、取付片で規制された角度内を揺動するだけなので、位置決め部材が脱落する虞が無いばかりか、位置決め軌道と位置決め部材との位置関係に高い精度は要求されず、このため、加工しやすくコストが低廉で済み、不良品の発生率も大幅に低減できる。
【考案を実施するための最良の形態】
【０００９】
図１、図２及び図５に示すように、本考案の二方向コードリールは、上蓋１、パッド２、巻取り盤３、コード４、ぜんまい５、下蓋６及び位置決め部材７を備える。
上蓋１と下蓋６とは、二方向コードリールの外殻を構成し、上蓋１の内面中心から下方に向けて突設した中心軸１１が、下蓋６の中心に固定されている。
そして、それぞれ円形平面を有するパッド２及び巻取り盤３が、上蓋１と下蓋６との間に配置され、上蓋１の中心軸１１がパッド２及び巻取り盤３の中心を貫通している。
【００１０】
図２に示すように、巻取り盤３は上面が開口した略円筒形をなし、その上面がパッド２で閉鎖されている。
巻取り盤３の周壁には係止スリット３１が形成され、この係止スリット３１に、ぜんまい５の一端５２に形成された爪部５３が係止されている。また、ぜんまい５の他端５１は、上蓋１の中心軸に形成した嵌入溝１２に固定され、巻取り盤３が正逆両方向に回転すると、ぜんまい５がきつく巻き締められたり、緩んだりし、コード４が引き出された時に巻き締められたぜんまい５の復元力が、巻取り盤３をコード巻き取り方向へ回転させる力となる。
【００１１】
巻取り盤３の周壁の内側には、略円弧状の挟持片３２を設け、挟持片３２の両端寄りにおいて、周壁にそれぞれコード導入スリット３３及びコード導出スリット３４が形成される。
コード４は、コード導入スリット３３を通して巻取り盤３の内側へ引き込まれ、その中間部が巻取り盤３の周壁と挟持片３２とで挟持固定され、さらにコード導出スリット３４を通して巻取り盤３の外側に引き出される。
また、コード４の両側部分は、巻取り盤３の外周面に上下に二段に重ねた状態で巻き付けられ、さらに、上蓋１及び下蓋６の両側からそれぞれ外部に延びており、巻取り盤３が正逆方向に回転することにより、引き出したり、巻き取ることが可能である。
【００１２】
下蓋６の上面外縁寄りには、位置決め部材７が取り付けられる。位置決め部材７は、図３に示すように、位置決めアーム７１と、取付片７２とから成る。
位置決めアーム７１の両端部上面には、それぞれ回転軸７１１及びスライド突起部７１２が突設される。
取付片７２の中央部には軸孔７２１が形成されると共に、両側部にそれぞれ係止孔７２２が形成される。そして、取付片７２を位置決めアーム７１の一端部上面に被せて、その両側部を位置決めアーム７１の側方へ張り出し、係止孔７２２を下蓋６に設けた支持突起７０と係合して固定する。また、取付片７２の軸孔７２１に、位置決めアーム７１の一端部に設けた回転軸７１１を回動自在に挿入する。
これにより、位置決めアーム７１は、下蓋６に確実に、且つ、回動可能に取り付けられ、その回動できる角度も取付片７２の係止孔７２間に規制される。
【００１３】
図４及び図５に示すように、巻取り盤３の下面には、位置決めアーム７１の他端部に設けたスライド突起部７１２と係合する位置決め軌道３５が形成される。
スライド突起部７１２は、巻取り盤３の回転に伴い、位置決め軌道３５に案内されてスムーズに移動したり、引っかかって停止したりを繰り返す。そして、スライド突起部７１２がスムーズに移動する時は、巻取り盤３の回転が許容され、スライド突起部７１２が引っかかって停止すると、巻取り盤３が回転できなくなる。
従って、位置決め軌道３５を適宜設計して、巻取り盤３の正逆方向の回転及びその停止を制御することにより、コード４を引き出して開放した時に巻き取りを停止して位置決めし、また、位置決めされたコード４を軽く引いてから解放して巻き取りを行い、さらに、巻き取り途中で、コード４をもう一度引いてから解放して、その位置で位置決めすることが可能となる。
【図面の簡単な説明】
【００１４】
【図１】本考案の実施例を示す二方向コードリールの斜視図。
【図２】本考案の実施例を示す二方向コードリールの分解斜視図。
【図３】図２のＡ部拡大図。
【図４】位置決め軌道と位置決め部材との関係を示す図。
【図５】本考案の実施例を示す二方向コードリールの断面図。
【図６】従来のコードリールの分解斜視図。
【図７】従来のコードリールの斜視図。
【符号の説明】
【００１５】
１  上蓋
１１  中心軸
１２  嵌入溝
２  パッド
３  巻取り盤
３１  係止スリット
３２  挟持片
３３  コード導入スリット
３４  コード導出スリット
３５  位置決め軌道
４  コード
５  ぜんまい
５１  他端
５２  一端
５３  爪部
６  下蓋
７  位置決め部材
７０  支持突起
７１  位置決めアーム
７１１  回転軸
７１２  スライド突起部
７２  取付片
７２１  軸孔
７２２  係止孔
【図１】
0003109215.tif 000003
【図２】
0003109215.tif 000004
【図３】
0003109215.tif 000005
【図４】
0003109215.tif 000006
【図５】
0003109215.tif 000007
【図６】
0003109215.tif 000008
【図７】
0003109215.tif 000009